(57)【要約】      （修正有）【課題】複数者の遺骨を一緒に埋葬可能な樹林葬用容器を低コストで提供する。【解決手段】遺骨を収容し地中に埋葬して樹林葬を行うための容器であって、樹脂製の外容器１２と、２以上の樹脂製の内容器２１、３１を備える。内容器は、遺骨を入れるための開口を有して内部に遺骨を収容可能な内容器本体と、前記開口を開閉可能に閉塞する上蓋とを有する。外容器は、垂直方向に起立する筒状の周壁１４と、当該周壁によって囲まれる収納空間１７の底面を閉塞する底蓋１５と、収納空間の天面を開閉可能に閉塞する外蓋１８とを有し、２以上の内容器を垂直方向に重ねて収納空間に収納できる。外蓋の係止手段として周壁１４の上縁に係止溝１６を、外蓋の内周面に係止突起１９を夫々備える。周壁は例えばＡＢＳ樹脂パイプ又は塩ビパイプにより構成する。【選択図】図２
0003234089.tif 000002
【実用新案登録請求の範囲】
【請求項１】
遺骨を収容し地中に埋葬して樹林葬を行うための容器であって、
当該容器は、
遺骨を入れるための内容器開口を有して内部に遺骨を収容可能な有底無蓋の内容器本体と、前記内容器開口を開閉可能に閉塞する上蓋とを有する２以上の内容器と、
前記内容器を収容する外容器開口を有して内部に前記２以上の内容器を垂直方向に重ねて収容可能な有底無蓋の外容器本体と、前記外容器開口を開閉可能に閉塞する外蓋と、前記外蓋を前記外容器本体に着脱自在に固定する外蓋係止手段とを有する外容器と
を備え、
前記外蓋は、
前記外容器開口を覆うことが可能な円盤状の外蓋天板と、
当該外蓋天板の周縁から立ち下がるリング状の外蓋側壁と
を有し、
前記外容器本体は、
その上端部に、前記外蓋側壁より小さな外径を有し前記外蓋側壁内に差し込まれて前記外蓋と嵌合する外蓋嵌合部
を備え、
前記外蓋係止手段は、
前記外蓋嵌合部の外周面および前記外蓋側壁の内周面のうちのいずれか一方に備えた外蓋係止突起と、
前記外蓋嵌合部の外周面および前記外蓋側壁の内周面のうちの他方に備えた外蓋係止溝と
を含み、
前記外蓋係止溝は、
前記外容器開口を閉塞するため前記外蓋を前記外容器本体に被せるときに、前記外蓋係止突起を受け入れて当該外蓋係止突起が垂直方向に移動できるよう垂直方向に延びる外容器垂直溝部と、
前記外蓋係止突起が前記外容器垂直溝部を垂直方向に移動した後に前記外容器本体と前記外蓋との間の相対的な回転操作に伴って当該回転方向に移動できるように前記外容器垂直溝部の先端部から水平に延びる外容器水平溝部と
を備えることにより略Ｌ字状の全体形状を有し、
前記外蓋を前記外容器本体の外蓋嵌合部に嵌合させ、前記外蓋係止突起を前記外容器垂直溝部に沿って垂直に移動させた後、前記外蓋と前記外容器本体を相対回転させて前記外蓋係止突起を前記外容器水平溝部に沿って水平に移動させると、前記外蓋が前記外容器本体に係止されて前記外容器本体が前記外蓋により閉塞される
ことを特徴とする樹林葬用容器。
【請求項２】
前記外容器本体は、
一定の外径と内径とを有するパイプ部材からなる無底無蓋の外周壁と、
当該外周壁の底面を閉塞する外底蓋と
を有し、
前記外蓋係止突起を前記外蓋側壁の内周面に備えるとともに、
前記外蓋係止溝を前記外蓋嵌合部の外周面に備えた
請求項１に記載の樹林葬用容器。
【請求項３】
前記外蓋係止突起は、前記外蓋の内周面から前記外蓋の中心部に向け突出する円柱状の形状を有する
請求項２に記載の樹林葬用容器。
【請求項４】
前記外底蓋は、
前記外周壁の底面を覆うことが可能な円盤状の外底蓋本体と、
当該外底蓋本体の周縁から前記外周壁の外周面に沿って立ち上がるリング状の外底蓋側壁と
を有し、
前記外周壁の下端部を前記外底蓋側壁内に差し込んで固定することにより前記外周壁の底面を閉塞した
請求項２または３に記載の樹林葬用容器。
【請求項５】
前記外容器は、樹脂を主体とする材料からなる
請求項１から４のいずれか一項に記載の樹林葬用容器。
【請求項６】
前記外容器は、円筒形の全体形状を有し、且つ、高さ方向の寸法が直径の３倍より大きい
請求項１から５のいずれか一項に記載の樹林葬用容器。
【請求項７】
前記内容器は、前記上蓋を前記内容器本体に着脱自在に固定する上蓋係止手段を有し、
前記上蓋は、
前記内容器開口を覆うことが可能な円盤状の上蓋天板と、
当該上蓋天板の周縁から立ち下がるリング状の上蓋側壁と
を有し、
前記内容器本体は、
その上端部に、前記上蓋側壁の内径より小さな外径を有し前記上蓋側壁内に差し込まれて前記上蓋と嵌合する上蓋嵌合部
を備え、
前記上蓋係止手段は、
前記上蓋嵌合部の外周面および前記上蓋側壁の内周面のうちのいずれか一方に備えた上蓋係止突起と、
前記上蓋嵌合部の外周面および前記上蓋側壁の内周面のうちの他方に備えた上蓋係止溝と
を含み、
前記上蓋係止溝は、
前記内容器開口を閉塞するため前記上蓋を前記内容器本体に被せるときに、前記上蓋係止突起を受け入れて当該上蓋係止突起が垂直方向に移動できるよう垂直方向に延びる内容器垂直溝部と、
前記上蓋係止突起が前記内容器垂直溝部を垂直方向に移動した後に前記内容器本体と前記上蓋との間の相対的な回転操作に伴って当該回転方向に移動できるように前記内容器垂直溝部の先端部から水平に延びる内容器水平溝部と
を備えることにより略Ｌ字状の全体形状を有し、
前記上蓋を前記内容器本体の上蓋嵌合部に嵌合させ、前記上蓋係止突起を前記内容器垂直溝部に沿って垂直に移動させた後、前記上蓋と前記内容器本体を相対回転させて前記上蓋係止突起を前記内容器水平溝部に沿って水平に移動させると、前記内容器本体が前記上蓋により密閉状態に閉塞される
請求項１から６のいずれか一項に記載の樹林葬用容器。
【請求項８】
前記上蓋により前記内容器本体を密閉状態に閉塞した閉蓋状態において前記上蓋と前記内容器本体の相対回転を阻止するラッチ機構として、
前記上蓋係止突起および前記内容器水平溝部のうちのいずれか一方に備えた凹部と、
前記上蓋係止突起および前記内容器水平溝部のうちの他方に備えた、前記凹部と嵌合可能な凸部と
を備え、
前記閉蓋状態において前記凸部が前記凹部に嵌入することにより前記上蓋と前記内容器本体の相対回転を阻止できるようにした
請求項７に記載の樹林葬用容器。
【考案の詳細な説明】
【技術分野】
【０００１】
本考案は、樹林葬用容器に係り、特に、樹林葬を行う場合に遺骨を入れて埋葬するための容器に関する。
【背景技術】
【０００２】
樹林葬が近年広まりつつある。この樹林葬とは、樹木葬などとも呼ばれ、樹木をシンボル（墓碑）としてその周辺に遺骨を埋葬する葬儀の方法である。
【０００３】
樹林葬を行う場所としては、墓地として許可を得ている寺院や、霊園の一部に設けた専用の区域などがあり、霊園全体を樹木葬専用の墓域としている樹林墓地もある。
【０００４】
樹林葬へのニーズが増大している背景には、都市部への人口集中に伴い居住地からのアクセスが良い場所に墓地が求められていることや、少子化による墓地費用の削減の要請、単身者の増加により永代使用を前提とした従来型墓地への需要が少なくなってきていることなどが挙げられるが、これらに加えて、自然に還りたいという希望をかなえられる埋葬方法への需要が考えられる。
【０００５】
また、遺骨を入れて埋葬する容器である骨壷を開示する文献として下記特許文献１〜５がある。
【先行技術文献】
【特許文献】
【０００６】
【特許文献１】実用新案登録第２５８１１０４号公報
【特許文献２】特開２００９−５６１２０号公報
【特許文献３】特開２０１０−１３６９６３号公報
【特許文献４】実用新案登録第３１９７６４０号公報
【特許文献５】実用新案登録第３２０３６５２号公報
【考案の概要】
【考案が解決しようとする課題】
【０００７】
ところで、樹林葬では一般に、遺骨を袋や骨壷に収容した後に、これらをコンクリート等で地中に形成した墓穴区画（カロート／納骨室）に収納することにより埋葬を行っている。
【０００８】
ところが、骨壷は陶磁器製のものが多く、衝撃に弱いうえに雨水や埃、昆虫の侵入などを受けて、収容した遺骨が経年劣化する問題がある（袋を使用する場合も同様）。このため、前記特許文献１〜３のように密閉性を高めて内部の遺骨を保護可能な骨壷の提案もなされているが、これらの骨壷も必ずしも樹林葬に適したものではない。
【０００９】
なぜなら、近年では配偶者や肉親あるいはペットと一緒に埋葬されたいと言う要望が少なくないが、上記骨壷は、複数の者の遺骨を収容できるものではなく、かかる要望に応えることが出来ないからである。
【００１０】
一方、前記特許文献４には、複数の者の遺骨を収容可能な骨壷が開示されている。
【００１１】
しかしながらこの特許文献４に記載の骨壷は、遺骨を収容する複数の収容部の端部を入れ子式に差し込んで接続する構造であるから、高い加工精度が要求され製造コストが嵩む難がある。また、収容部の端部を単に差し込んだだけの構造であるから、雨水や埃、昆虫の侵入などを受けて、収容した遺骨が劣化すると言う前述した既存の骨壷と同様の問題が生じ得る。
【００１２】
さらに、樹林葬では数十年後（例えば３３年後や５０年後等）に遺骨を取り出して合祀墓に移されることがあり、遺骨を入れていた骨壷はこのときに不要になるが、骨壷の廃棄が難しいという問題がある。遺骨が収容されていたと言う特殊性から、産業廃棄物として処分するにも骨壷の引取り業者が少ないからである。
【００１３】
他方、このような問題を解決するため、出願人は前記特許文献５に記載の考案を先に提案した。
【００１４】
しかしながらこの考案では、製造コストの点で更なる改良の余地を残している。具体的には、当該考案では、外容器の上面開口を閉塞する外蓋をスクリューキャップのような螺子構造によって外容器本体に固定するが、このような構造によると、外蓋の内面と外容器本体の周縁の双方に螺子を形成しなければならないから、量産品として提供するためには外蓋を成型する金型と、外容器を成型するための金型が必要となり、製造コストが嵩む難がある。
【００１５】
したがって、本考案の目的は、今後増えることが予想される樹林葬に好適な遺骨収容容器を低廉な製造コストで提供することにある。
【課題を解決するための手段】
【００１６】
前記課題を解決し目的を達成するため、本考案に係る樹林葬用容器は、遺骨を収容し地中に埋葬して樹林葬を行うための容器であって、当該容器は、遺骨を入れるための内容器開口を有して内部に遺骨を収容可能な有底無蓋の内容器本体と、内容器開口を開閉可能に閉塞する上蓋とを有する２以上の内容器と、内容器を収容する外容器開口を有して内部に２以上の内容器を垂直方向に重ねて収容可能な有底無蓋の外容器本体と、外容器開口を開閉可能に閉塞する外蓋と、外蓋を外容器本体に着脱自在に固定する外蓋係止手段とを有する外容器とを備える。
【００１７】
また、上記外蓋は、外容器開口を覆うことが可能な円盤状の外蓋天板と、外蓋天板の周縁から立ち下がるリング状の外蓋側壁とを有し、外容器本体は、その上端部に、外蓋側壁より小さな外径を有し外蓋側壁内に差し込まれて外蓋と嵌合する外蓋嵌合部を備え、外蓋係止手段は、外蓋嵌合部の外周面および外蓋側壁の内周面のうちのいずれか一方に備えた外蓋係止突起と、外蓋嵌合部の外周面および外蓋側壁の内周面のうちの他方に備えた外蓋係止溝とを含み、外蓋係止溝は、外容器開口を閉塞するため外蓋を外容器本体に被せるときに、外蓋係止突起を受け入れて外蓋係止突起が垂直方向に移動できるよう垂直方向に延びる外容器垂直溝部と、外蓋係止突起が外容器垂直溝部を垂直方向に移動した後に外容器本体と外蓋との間の相対的な回転操作に伴って当該回転方向に移動できるように外容器垂直溝部の先端部から水平に延びる外容器水平溝部とを備えることにより略Ｌ字状の全体形状を有する。
【００１８】
そして、外蓋を外容器本体の外蓋嵌合部に嵌合させ、外蓋係止突起を外容器垂直溝部に沿って垂直に移動させた後、外蓋と外容器本体を相対回転させて外蓋係止突起を外容器水平溝部に沿って水平に移動させると、外蓋が外容器本体に係止されて外容器本体が外蓋により閉塞される。
【００１９】
本考案では、遺骨を内容器に入れ、内容器を外容器に収納し、この外容器を地中に埋め或いは納骨室などに収容することにより埋葬を行う。
【００２０】
内容器は、遺骨を収容する内容器本体と、内容器本体の開口を塞ぐ上蓋とを有する。一方、外容器は、筒状の全体形状を有し、複数の内容器を垂直方向（高さ方向）に積み重ねるようにして内部に収納することが出来る。外容器の天面は内容器を出し入れ出来るようにするため、開閉自在な外蓋によって閉塞する。
【００２１】
したがって、例えば合祀葬や分骨を行うときなど、埋葬した遺骨を取り出したいときには、外蓋を開けて外容器の収納空間から内容器を取り出し、内容器の上蓋を開ければ内容器本体内に収納してある遺骨を取り出すことが出来る。
【００２２】
また、外容器には複数の内容器を収納することが出来るから、配偶者や肉親あるいはペット等と一緒に埋葬されたいと言う要望にも応えることが出来る。また、内容器と外容器の二重構造によって遺骨が保護されるから、すなわち、遺骨はそれぞれ内容器に収容された後、更に外容器に収納されるから、遺骨の劣化を防ぐことが出来る。
【００２３】
また、例えば夫婦のいずれかを先に埋葬し、残された者を後年同じ外容器内に収容して埋葬するような場合に、後年の埋葬時には外容器を開けるだけで済み、先に埋葬されている遺骨は後に埋葬するための内容器とは別の内容器に収容されこれを開ける必要はないから、後年の埋葬行為によって先に埋葬されている遺骨が痛むことがなく、この点でも本考案によれば遺骨を良好な状態に維持することが出来る。
【００２４】
さらに本考案では、出願人が先に提案した容器と異なり、外容器を閉塞する外蓋をスクリュー（螺子）式の係止手段ではなく、係止突起と係止溝による係止構造としたから、容器の製造コストを低減することが出来る。
【００２５】
特に、外容器本体が、一定の外径と内径とを有するパイプ部材からなる無底無蓋の外周壁と、当該外周壁の底面を閉塞する外底蓋とを有するものとし、外蓋係止突起を外蓋側壁の内周面に備えるとともに、外蓋係止溝を外蓋嵌合部の外周面に備えることが好ましい。ＡＢＳ樹脂パイプや塩ビパイプ等の汎用されているパイプ部材を利用して外容器本体の外周壁を形成できるようにすることで、一層低廉なコストで容器を製造することを可能とするためである。
【００２６】
外蓋嵌合部（外容器本体）側に外蓋係止溝を備えるのは、金型を使用しなくても外容器本体を形成できるようにするためである。すなわちこのような構造によれば、容器を量産する場合にも、外容器本体を作製するときに金型を用いることなく、汎用のパイプ部材を利用し（所定の長さに切断し）、当該パイプ部材の上端部外面に溝（外蓋係止溝）を掘るだけの簡易な作業で外容器本体の外周壁を作製することが可能となる。
【００２７】
この場合、外底蓋は、例えば外周壁の底面を覆うことが可能な円盤状の外底蓋本体と、外底蓋本体の周縁から外周壁の外周面に沿って立ち上がるリング状の外底蓋側壁とを有するようにし、外周壁の下端部を外底蓋側壁内に差し込んで固定することにより外周壁の底面を閉塞するようにすれば良い。
【００２８】
また、上記外蓋係止突起は、外蓋の内周面から外蓋の中心部に向け突出する円柱状の形状を有することが好ましい。外蓋を外容器本体に被せるときに、外蓋係止突起が外容器垂直溝部に入りやすくなるようにするためである。すなわち、外蓋係止突起が円柱状の形状を有していれば、外容器垂直溝部の上縁から外蓋係止突起が当該溝部内に侵入するときに、当該係止突起の湾曲した周面（円柱形状の丸い周面）によって当該係止突起が当該溝部上縁の角に引っ掛かり難くなるから、外蓋係止突起を外容器垂直溝部にスムーズに嵌入させて外蓋を外容器本体に装着することが可能となる。
【００２９】
また、かかる係止突起を円柱形状とすれば、外蓋係止溝の溝幅を小さく且つ垂直溝部と水平溝部の幅寸法を同一にすることができ、係止溝加工時の労力や煩雑さを軽減することが可能となる。具体的には、例えば係止突起が幅広（水平方向の寸法が大きい）であれば、当該突起の突起の幅寸法に合わせて外容器垂直溝部の溝幅を大きくしなければならない。また係止突起が上下方向に長い形状を有していれば、外容器水平溝部の溝幅（上下方向の寸法）を大きくする必要がある。これに対して、係止突起を円柱形状（断面円形）とすれば、外容器垂直溝部と外容器水平溝部の溝幅を共に強度的に許容される最小の且つ同一の溝幅とすることが出来るから、幅の広い溝あるいは垂直溝部と水平溝部とで溝幅が異なる溝を形成する場合と比較して溝加工時の労力や煩雑さ軽減することが出来る。
【００３０】
外容器（外容器本体や外蓋）および内容器（内容器本体や上蓋）は、共に、樹脂（例えばＡＢＳ樹脂やポリ塩化ビニル等）を主体とする材料からなるものとすることが好ましい。容器の製造コストを低減するためである。また樹脂材料によれば、焼却処分や溶解処分、リサイクルを可能とし、合祀などのときに廃棄・処分をしやすくすることが出来る。さらに、樹脂製であれば陶磁器等と比較して材料自体に柔軟性があるから、衝撃に強くすることができ破損し難くなる利点もある。また震災のような大規模な災害時にも、破損し難い樹脂製容器の二重構造（外容器と内容器）によって遺骨を保護することができ、容器に喪主や故人の名前を刻んでおけば誰の遺骨か直ちに判別することができ、無名骨が発生することを防ぐことも出来る。
【００３１】
また、外容器は、円筒形の全体形状を有し且つ高さ方向の寸法が直径の３倍より大きい場合がある。このように外容器を（したがって容器全体を）縦長の形状とすれば、内部に複数者の遺骨（２以上の内容器）を収納した場合にも横幅をとらないから、隣との間隔をつめて埋葬場所の単位面積あたりより多くの遺骨を埋葬することが可能となる。
【００３２】
内容器本体を上蓋によって閉塞する具体的構造としては、例えば次のような構造を採用することが出来る。
【００３３】
内容器が、上蓋を内容器本体に着脱自在に固定する上蓋係止手段を有し、上蓋が、内容器開口を覆うことが可能な円盤状の上蓋天板と、上蓋天板の周縁から立ち下がるリング状の上蓋側壁とを有し、内容器本体はその上端部に、上蓋側壁の内径より小さな外径を有し上蓋側壁内に差し込まれて上蓋と嵌合する上蓋嵌合部を備える。また上蓋係止手段が、上蓋嵌合部の外周面および上蓋側壁の内周面のうちのいずれか一方に備えた上蓋係止突起と、上蓋嵌合部の外周面および上蓋側壁の内周面のうちの他方に備えた上蓋係止溝とを含む。
【００３４】
上蓋係止溝は、略Ｌ字状の全体形状を有する。より具体的には、上蓋係止溝が、内容器開口を閉塞するため上蓋を内容器本体に被せるときに、上蓋係止突起を受け入れて上蓋係止突起が垂直方向に移動できるよう垂直方向に延びる内容器垂直溝部と、上蓋係止突起が内容器垂直溝部を垂直方向に移動した後に内容器本体と上蓋との間の相対的な回転操作に伴って当該回転方向に移動できるように内容器垂直溝部の先端部から水平に延びる内容器水平溝部とを備える。
【００３５】
そして、上蓋を内容器本体の上蓋嵌合部に嵌合させ、上蓋係止突起を内容器垂直溝部に沿って垂直に移動させた後、上蓋と内容器本体を相対回転させて上蓋係止突起を内容器水平溝部に沿って水平に移動させると、内容器本体が上蓋により密閉状態に閉塞される。
【００３６】
また、上記のような閉塞構造を採用する場合には、上蓋により内容器本体を密閉状態に閉塞した閉蓋状態において上蓋と内容器本体の相対回転を阻止するラッチ機構をさらに備えても良い。上蓋が不用意に緩んで内容器本体の密閉状態が解除され、あるいは遺骨を収容した内容器が不用意に開いてしまうことを防ぐためである。
【００３７】
具体的には、当該ラッチ機構は、上蓋係止突起および内容器水平溝部のうちのいずれか一方に備えた凹部と、上蓋係止突起および内容器水平溝部のうちの他方に備えた凸部とを有する。この凸部は、前記凹部と嵌合可能であり、上蓋により内容器本体を密閉状態に閉塞した閉蓋状態において当該凸部が当該凹部に嵌り込むことにより上蓋と内容器本体の相対回転を阻止する。このようなラッチ機構を備えれば、収容した遺骨を長年に亘り良好な状態に維持することが出来る。
【００３８】
本考案において外容器に収納する内容器の個数は、典型的には２個または３個とすることが出来るが、４個以上の内容器を外容器に収納できるようにしても良い。また内容器として、例えば大柄の故人用の比較的大きな内容器と、小柄の故人用の比較的小さな内容器と、ペット用のさらに小さな内容器を用意するなど様々な大きさ（高さ）の内容器を、また外容器についても大きさ（高さ）の異なる複数種類の容器をそれぞれ用意しておけば、内容器と外容器の色々な組み合わせで埋葬を行うことができ、顧客の多様なニーズにきめ細かく対応することが可能となる。
【考案の効果】
【００３９】
本考案によれば、樹林葬に好適な遺骨収容容器を低廉な製造コストで提供することが出来る。
【００４０】
本考案の他の目的、特徴および利点は、図面に基づいて述べる以下の本考案の実施の形態の説明により明らかにする。なお、各図中、同一の符号は、同一又は相当部分を示す。
【図面の簡単な説明】
【００４１】
【図１】図１は、本考案の一実施形態に係る樹林葬用容器を示す斜視図である。
【図２】図２は、前記実施形態に係る樹林葬用容器の分解斜視図（外容器の外蓋を開けて内容器を取り出した状態）である。
【図３】図３は、前記実施形態に係る樹林葬用容器の外容器の上端部（外蓋を開けた状態）を拡大して示す斜視図である。
【図４】図４は、前記実施形態に係る樹林葬用容器の外容器の上端部（外蓋を閉めた状態）を拡大して示す斜視図である。
【図５】図５は、前記実施形態に係る樹林葬用容器の外容器の上端部（外蓋を開けた状態）を拡大して示す側面図である。
【図６】図６は、前記実施形態に係る樹林葬用容器の外容器の上端部（外容器本体に外蓋を被せて外蓋係止突起を外蓋形成溝の垂直溝部の下端部まで落とし込んだ状態）を拡大して示す側面図である。
【図７】図７は、前記実施形態に係る樹林葬用容器の外容器の上端部（外容器本体に外蓋を被せて外蓋係止突起を外蓋形成溝の垂直溝部の下端部まで落とし込んだ状態／図６の符号Ｂで示す部分のＣ−Ｃ断面）を拡大して示す水平断面図である。
【図８】図８は、前記実施形態に係る樹林葬用容器の外容器の上端部（外蓋を閉めた状態／図４のＡ−Ａ断面）を拡大して示す垂直断面図である。
【図９】図９は、前記実施形態に係る樹林葬用容器の外容器（外蓋を閉めた状態）を示す垂直断面図である。
【図１０】図１０は、前記実施形態に係る樹林葬用容器の内容器を示す斜視図（上蓋を開けた状態）である。
【図１１】図１１は、前記実施形態に係る樹林葬用容器の内容器の一部（図１０の符号Ｄで示す部分／上蓋と内容器本体の係合部を容器内側の斜め下方から見た状態）を示す図である。
【図１２】図１２は、樹林葬墓地の一例を示す概念図である。
【図１３】図１３は、前記実施形態に係る樹林葬用容器の他の構成例を示す斜視図である。
【考案を実施するための形態】
【００４２】
図１から図１１に示すように本考案の一実施形態に係る樹林葬用容器１１は、円筒状の全体形状を有する外容器１２と、垂直方向に積み重ねるようにして外容器１２の中に収納した２個の内容器２１，３１とからなる。
【００４３】
外容器１１は、垂直に起立する円筒状の周壁（外周壁）１４、および、周壁１４によって囲まれた円柱状の収納空間１７の底面部を閉塞する底蓋（外底蓋）１５からなる外容器本体１３と、外容器本体１３の天面開口（外容器開口）１５を開閉可能に閉塞する外蓋１８とを有する。外容器本体１３の周壁１４は、汎用されている樹脂パイプ（例えばＡＢＳ樹脂パイプや塩ビパイプ等）を利用して形成することが可能で、当該樹脂パイプを所定の長さに切断し、下端に底蓋１５を固定して周壁１４の底面を閉塞すれば良い。なお、底蓋１５の固定は、例えば溶着や接着剤による接着等の方法によれば良い。また、外容器１２の他の部分（底蓋１５および外蓋１８）も樹脂材料により構成する。
【００４４】
さらに外容器本体１３（周壁１４）の上端部外周面には、外蓋１８を周壁１４に係止するための係止溝１６（外蓋係止溝）を形成する。この係止溝１６は、外蓋１８を外容器本体１３に着脱自在に固定する外蓋係止手段を、後述する係止突起１９とともに構成するもので、本実施形態では当該外蓋係止手段を２つ、すなわち係止溝１６と係止突起１９を２組備える。またこれら２つの外蓋係止手段は、円筒状の周壁１４の直径の両端部（周壁１４の中心軸線に対して対称な位置）に配置する。外蓋１８を安定して周壁１４に固定するためである。
【００４５】
各係止溝１６は、周壁１４の外面上縁から垂直下方に延びる垂直溝部（外容器垂直溝部）１６ａと、垂直溝部１６ａの下端から連続して周壁１４の外面に沿って水平に延びる水平溝部（外容器水平溝部）１６ｂとからなり、Ｌ字状の全体形状を有する。また水平溝部１６ｂは、外蓋１８の開閉（両水平溝部１６ｂ，１６ｂへの両係止突起１９，１９の係合および離脱）を可能とするため、垂直溝部１６ａの下端から周壁１４の外周面に沿って一定の方向に延びるように（本実施形態の場合、外容器本体１３を上から見た場合に垂直溝部１６ａの下端から反時計回りに延びるように）形成する。なお、当該水平溝部１６ｂは、図示の例とは逆に時計回りに延びるように形成しても良い。
【００４６】
一方、外蓋１８は、外容器開口１５を覆うことが可能な円盤状の天板（外蓋天板）１８ａと、外蓋天板１８ａの周縁から垂直下方に立ち下がって前記外容器本体１３（周壁１４）の上端部（外蓋嵌合部）２０を嵌入させることが可能なリング状の側壁（外蓋側壁）１８ｂとからなる。そして、この側壁１８ｂの内面に、前記外蓋係止溝１６に嵌入する係止突起（外蓋係止突起）１９を備える。この係止突起１９は、前記係止溝１６の溝幅より小さな外径を有する円柱状の突出部で、側壁１８ｂの内面から外容器開口１５の中心に向け水平に突き出している。また当該係止突起１９は、係止溝１６の数に対応して２つ備えてある。
【００４７】
外容器本体１３に外蓋１８を装着するには、係止突起１９を係合溝１６（垂直溝部１６ａ）に合わせるようにして外蓋１８を外容器本体１３の上面に被せ、係止突起１９を係合溝１６の垂直溝部１６ａに嵌入させ（図３，図５の矢印Ｆ１参照）、垂直溝部１６ａの下端まで進行させた後（図５の符号１９ａ参照）、外蓋１８を上面から見て反時計回りに回すことにより、係止突起を水平溝部の先端まで到達させれば良い（図３，図５の矢印Ｆ２及び符号１９ｂ参照）。この状態では、係止突起１９が水平溝部１６ｂの上面に引っ掛かるから、外蓋１８が開く（外蓋１８が外容器本体１３から上方へ外れる）ことがなくなる。なお、外蓋１８を開けるには、外蓋１８を逆方向（時計回り）に回し、係止突起１９を水平溝部１６ｂの基端部（垂直溝部１６ａの下端）に配置させた後、外蓋１８を上方に外せば良い。
【００４８】
外容器１２の形状は、縦長の全体形状、例えば高さＨ１（図１参照）を直径Ｄ１の３倍以上を有するものとする。内容器２１，３１を垂直方向に積み重ねて収納できるようにし、外容器１２内に複数者の遺骨（複数の内容器）を収納して埋葬できるようにするためである。具体的な寸法値は、特に限定されるものではないが一例を示せば、直径Ｄ１を例えば２０〜２５ｃｍ程度、高さＨ１を例えば８００〜８５０ｃｍ程度とすることが出来る。
【００４９】
他方、内容器２１，３１は、底面が閉塞され上面に開口を有して内部に遺骨を収容可能な円筒状の内容器本体２２と、上面開口（内容器開口）２２ａを開閉可能に閉塞する上蓋２３とをそれぞれ有する。外容器１２の収納空間１７に収納できるように内容器２１，３１はその外径を、外容器１２（周壁１４）の内径より若干小さな寸法とする。また内容器２１，３１は、底面が天面より小さく、天面から底面に向け下方に向かうにつれ次第に水平断面積が小さくなるようなテーパ状の周面を有する。内容器２１，３１の周面をこのようなテーパ形状にすれば、内容器２１，３１を外容器１２の上面開口１５に差し入れやすくなり、外容器１２の収納空間１７内に内容器２１，３１をスムーズに収納することが出来るようになる。
【００５０】
内容器２１，３１は、前記外容器１２と同様に樹脂材料（例えばＡＢＳ樹脂やポリ塩化ビニル等）により形成する。樹脂製とすることで衝撃に強い埋葬用容器を低廉なコストで製造できる上に、焼却処分や溶解処分、リサイクルが可能となるから廃棄処分をしやすくすることが出来る。また前述したように、震災のような大規模な災害時にも、破損し難い樹脂製容器の二重構造（外容器１２と内容器２１，３１）によって遺骨を保護することができ、例えば内容器２１，３１に喪主や故人の名前を刻んでおけば誰の遺骨か直ちに判別することが可能となって無名骨が発生することを防ぐことも出来る。
【００５１】
内容器本体２２と上蓋２３には、上蓋２３を内容器本体２２の上面部に固定するための係止機構と、上蓋２３の緩みを防ぐラッチ機構を備える。以下、図１０〜図１１を参照してこれらについて説明する。
【００５２】
上蓋２３は、内容器本体２２の上面開口２２ａを覆う円盤状の天板２３ａと、天板２３ａの周縁から立ち下がるリング状の側壁２３ｂとを備え、側壁２３ｂの内周面に複数（本実施形態の場合は４つ）の係止溝（上蓋係止溝）２６を有する。これらの係止溝２６はそれぞれ、側壁２３ｂの下端から上方へ垂直に延びる垂直溝部２６ａと、垂直溝部２６ａの上端から側壁２３ｂに沿って水平に延びる水平溝部２６ｂとを備え、Ｌ字状の全体形状を有する。
【００５３】
一方、内容器本体２２は、その上端部に、上蓋２３の側壁２３ｂの内側にちょうど嵌め込むことが可能なリング状の上蓋嵌合部２４を備え、この上蓋嵌合部２４に、上蓋２３の各係止溝２６に対応する上蓋係止突起２５（本実施形態の場合は係止溝２６の数に対応して４つ）を設けてある。
【００５４】
さらに、上蓋２３の緩みを防ぐラッチ機構として、各係止突起２５の先端部に凹部２５ａを、また当該凹部２５ａと嵌合する凸部２６ｃを前記各係止溝２６の先端部にそれぞれ備える。
【００５５】
内容器本体上端部の上蓋嵌合部２４に上蓋２３を被せると（矢印Ｆ３参照）、各係止突起２５は、対応する各係止溝２６の垂直溝部２６ａ内にそれぞれ進入し、上蓋２３の下方への押下げ操作に伴い当該垂直溝部２６ａ内で上方に相対移動する（図１１の矢印Ｆ５参照）。その後、上蓋２３を回転させると（矢印Ｆ４参照）、各係止突起２５は、対応する各係止溝２６内において垂直溝部２６ａに連続する各水平溝部２６ｂ内をさらに水平にそれぞれ移動し（図１１の矢印Ｆ６参照）、係止溝２６の先端部に形成した凸部２６ｃが、係止突起２５の先端部に形成した凹部２５ａに嵌り込む。これにより内容器本体２２に上蓋２３が固定され、この閉蓋状態では、前記ラッチ機構（凹部２５ａと凸部２６ｃ）によって上蓋２３の緩み（上蓋２３と内容器本体２２の相対回転）が阻止され、遺骨を収容する内容器本体２２の内部空間が密閉状態に保たれる。
【００５６】
図１２は本実施形態の樹林葬用容器１１を使用可能な樹林葬墓地の一例を示すものである。この図に示すように、円盤状の各墓石３０の下の地中に本実施形態の容器１１をそれぞれ埋設することにより埋葬を行うことが出来る。なお、墓石３０の形状や有無、埋葬区画の形状・配置、樹木の配置などは様々なものがあり、図示の例に限定されるものではない。
【００５７】
以上、本考案の実施の形態について説明したが、本考案はこれらに限定されるものではなく、実用新案登録請求の範囲に記載の範囲内で種々の変更を行うことができることは当業者に明らかである。
【００５８】
例えば、前記実施形態では２個の内容器２１，３１を備えたが、図１３に示すように３個の内容器２１，３１，４１を外容器１２内に収納できるようにしても良い。また、外容器１２の高さＨ１や、内容器２１，３１，４１の高さＨ２〜Ｈ４を様々に設定することで、４個以上の内容器を外容器１２内に収納する構造とすることも可能である。
【００５９】
さらに前記実施形態では、内容器について上蓋２３側に係止溝２６を、内容器本体２２側に係止突起２５をそれぞれ備えたが、これとは逆に、上蓋２３側に係止突起２５を、内容器本体２２側に係止溝２６をそれぞれ備えても良い。外容器についても同様である。
【００６０】
また、前記実施形態では、外容器について外蓋係止手段（外蓋係止溝及び外蓋係止突起）を２組備えたが、当該係止手段を３組以上備えることも可能である。なお、その場合には、前記実施形態と同様に外蓋を安定して外容器本体に固定するため、当該係止手段は、周壁の中心軸線に対して対称な位置に配置することが好ましい。
【００６１】
さらに前記実施形態では、各容器（外容器１２と内容器２１，３１）を、円形の断面を有する円筒形状を有するものとしたが、本発明に言う「筒状」とは必ずしも円筒状に限られず、正方形や長方形、あるいは六角形や八角形など多角形の断面形状を各容器１２，２１，３１が有していても構わない。
【符号の説明】
【００６２】
１１  樹林葬用容器
１２  外容器
１３  外容器本体
１４  周壁（外周壁）
１５  底蓋（外底蓋）
１５ａ  底蓋本体（外底蓋本体）
１５ｂ  底蓋側壁（外底蓋側壁）
１５  外容器本体の上面開口（外容器開口）
１６  外蓋係止溝
１６ａ  外容器垂直溝部
１６ｂ  外容器水平溝部
１７  収納空間
１８  外蓋
１８ａ  外蓋天板
１８ｂ  外蓋側壁
１９  外蓋係止突起
１９ａ  外蓋係止突起を外容器垂直溝部の下端まで落とし込んだ状態
１９ｂ  外蓋係止突起を外容器水平溝部の先端まで進めた状態
２０  外蓋嵌合部
２１，３１，４１  内容器
２２  内容器本体
２２ａ  内容器本体の上面開口（内容器開口）
２３  上蓋
２３ａ  上蓋天板
２３ｂ  上蓋側壁
２４  上蓋嵌合部
２５  上蓋係止突起
２５ａ  凹部
２６  上蓋係止溝
２６ａ  内容器垂直溝部
２６ｂ  内容器水平溝部
２６ｃ  凸部
３０  墓石
【図１】
0003234089.tif 000003
【図２】
0003234089.tif 000004
【図３】
0003234089.tif 000005
【図４】
0003234089.tif 000006
【図５】
0003234089.tif 000007
【図６】
0003234089.tif 000008
【図７】
0003234089.tif 000009
【図８】
0003234089.tif 000010
【図９】
0003234089.tif 000011
【図１０】
0003234089.tif 000012
【図１１】
0003234089.tif 000013
【図１２】
0003234089.tif 000014
【図１３】
0003234089.tif 000015